Podtech/llm-jp-corpus-v4-ja_patent huggingface dataset:
(57)【要約】      （修正有）【課題】捕捉した物品を容易に排除でき、しかも、掃除作業に支障のない、杆体を十字状に配して構成した捕捉部の排水口用金具を提供する。【解決手段】容器ボール面３に設けた排水口部４に嵌挿して組付ける筒体の内側に、杆体１１Ａ，１１Ａを十字状に配して前記内側を部分的に閉塞した排水金具で、前記筒体を主体筒１と内側に前記小物の捕捉部１１を備えた捕捉筒２とで構成する。前記主体筒１の内周面に、該主体筒１に挿脱自在に嵌挿した前記捕捉筒２を受支する係止段部９を設ける。【選択図】図１
2004339732.tif 000002
【特許請求の範囲】
【請求項１】
容器ボール面に設けた排水口に嵌挿して組付ける筒体の内側に、杆体を十字状に配して前記内側を部分的に閉塞した、小物の捕捉部を設けた洗面器などの水回り容器の排水口用金具において、前記筒体を主体筒と内側に前記捕捉部を備えた捕捉筒とで構成し、前記主体筒の内周面に、該主体筒に挿脱自在に嵌挿した前記捕捉筒を受支する係止段部を設けた、洗面器などの水回り容器の排水口用金具。
【発明の詳細な説明】
【０００１】
【産業上の利用分野】
本発明は、洗面（或いは手洗い）器などの水回り容器の排水口用金具に関するものである。
【０００２】
【従来の技術】
洗面器などの水回り容器のボール面に設けた排水口部には排水口用金具が組付けられており、該排水口用金具は前記排水口部に嵌挿して組付ける筒体で成り、該筒体の内側に、杆体（通常金属杆）を十字状に配して固定して前記内側を部分的に閉塞した小物捕捉部（十字部と称す）を設け、この小物捕捉部で指輪などの小物が配水管やトラップを通じて流出するのを防ぐようにしいている（例えば、特許文献１）。
【０００３】
【特許文献１】
特開２００２−５４２０７号公報
【０００４】
【発明が解決しようとする課題】
前記従来例は、小物捕捉部の上側に特別に多孔栓体を組付け自在に配して小物捕捉部では捕捉できない小さなものを捕捉するようにしているが、いずれにしても清水、汚水に係わりなく、水が捕捉部を通じて当該排水金具と接続した配水管に流れ込むため、永年の使用により配水管が水垢や水に含まれる混合物質などが付着し、ごみ詰りの原因となり、ときには悪臭源となることもある。
【０００５】
しかしながら、従来の小物捕捉部は前記の通り杆体を筒体に固着して構成しているので、該捕捉部から下流側の部分（概し、排水管部ということになるが）に上流側からブラシ等の物品を挿入して掃除することができず、支障があった。また、前記多孔栓体を省略した形式（流布し、周辺に存するもののほとんどはこの形式）のもので、小物捕捉部において小物を捕捉したとしても小物が該捕捉部を構成する杆体に引っ掛かり、筒体の内径の狭さと相俟って当該捕捉部からの小物の離脱に難渋することがある。
【０００６】
本発明は、金属杆を十字状に配して構成した小物捕捉部を備えた排水金具の、従来の前記欠点を解消し、使用勝手上良好な製品を提供すべく創案したものである。
【０００７】
【課題を解決するための手段】
容器ボール面に設けた排水口に嵌挿して組付ける筒体の内側に、杆体を十字状に配して前記内側を部分的に閉塞した、小物の捕捉部を設けた洗面器などの水回り容器の排水金具において、前記筒体を主体筒と内側に前記捕捉部を備えた捕捉筒とで構成し、前記主体筒の内周面に、該主体筒に挿脱自在に嵌挿した前記捕捉筒を受支する係止段部を設けた構成としたものである。
【０００８】
【発明の実施の形態】
図面は本発明に係る洗面器などの水回り容器の排水口用金具の一実施形態を示し、図１は縦断面図、図２は捕捉筒の平面図である。
【０００９】
本発明に係る排水口用金具Ａは金属製の主体筒１と捕捉筒２を互いに組合わせて構成したもので、主体筒１は、洗面器Ｂのボール面３に設けた排水口部４に嵌挿して、該排水口部４の縁部に掛止するフランジ部５を備え、しかも、上端方向に漸次径を大きくして拡開した拡開部１Ａと、外周面に下端を図示省略したトラップに接続した配水管７に接続するナット材を螺合する雄螺子８を設けた直管部１Ｂとで構成し、直管部１Ｂの上側の一半１Ｂ´を下側の他の一半１Ｂ´´より薄肉状に形成して境界部を係止段部９と成し、該係止段部９より上方側すなわち前記上側の一半１Ｂ´の内腔部を前記捕捉筒２の収納部１０としたものである。
【００１０】
前記捕捉筒２は、前記収納部１０すなわち直管部１Ｂの上側の一半部１Ｂ´の内径と一致する外径を備えた筒主体２Ａの中間部に、上下にして、しかも、互いに直交する一対の杆体（金属杆）１１Ａ，１１Ａを架設して平面視十字状の捕捉部１１を設けて構成したものである。
【００１１】
そして、この排水口用金具Ａの主体筒１を、洗面器Ｂのボール面３に設けた排水口部４に常法に従って嵌挿組付け、該主体筒１の直管部１Ｂに設けた収納部１０に捕捉筒２を上側から摺嵌して係止段部９に受支させるようにして収納するようにして用いるのである。
【００１２】
元より、必要に応じて主体筒１から捕捉筒２と摺脱するのである。
【００１３】
なお、捕捉部１１を構成する杆体１１Ａ，１１Ａを丸棒杆で構成し、しかも、互いに上下に位置させて配してあるのは、その断面形と位置関係によって不必要な小さなごみが付着しにくくするためと、杆体１１Ａ，１１Ａ物品を捕捉したとき、すなわち、物品が杆体１１Ａ，１１Ａに引っ掛ったとき、杆体１１Ａ，１１Ａ間に段差があるためいわば物品は傾斜状にして杆体１１Ａ上に載ることになるから、当該物品を捕捉筒２中から取り出し易くなり、また、杆体１１Ａ，１１Ａ間の隙間に係合しにくい利点も期待できるからである。
【００１４】
【発明の効果】
本発明は前記の通りの構成であるから、捕捉部によって捕捉した物品を、主体筒から捕捉筒を取り外して排除できるから、当該物品の排除作業を容易に行うことができ、また、捕捉部の存在によって不可能であった下流側の排水管の掃除を容易に行うことができ、捕捉部付の排水金具の従来の欠点を普く解消した製品を提供できる。
【図面の簡単な説明】
【図１】縦断面図。
【図２】捕捉筒の平面図。
【符号の説明】
１      主体筒
２      捕捉筒
３      ボール面
４      排水口部
９      係止段部
１１    捕捉部
１１Ａ  杆体
【図１】
2004339732.tif 000003
【図２】
2004339732.tif 000004
(57)【要約】      （修正有）【課題】温水プールの省エネの為、利用時間帯以外の温水を保温の為に温水プールに蓋が短時間に出来、収納も操作ボタンを押すだけで、短時間にコンパクトに収納出来る折り畳み浮式蓋を提供する。【解決手段】コンプレッサー１からの圧縮空気を送るビニールホース４、それを分岐させる分岐管５、圧縮空気を制御する逆止弁２、電磁弁３、圧縮空気により蓋を広げるためのビニール袋６、蓋を構成する硬質塩化ビニール板９付き空気入りビニールシート１０、それを、蓋を折り畳む為のバネ８を付けた硬質塩化ビニール板７にホック雄１２雌１１で固定し、ビニール袋６と硬質塩化ビニール板７を貼り付け、操作を操作盤１４圧力計１３電気配線１５により行うことが出来る折り畳み浮式蓋。【選択図】          図２
2004339912.tif 000002
【特許請求の範囲】
【請求項１】
コンプレッサー▲１▼からの圧縮空気を送るビニールホース▲４▼、それを分岐させる分岐管▲５▼、圧縮空気を制御する逆止弁▲２▼、電磁弁▲３▼、圧縮空気により蓋を広げるためのビニール袋▲６▼、蓋を構成する硬質塩化ビニール板▲９▼付き空気入りビニールシート▲１０▼、それを、蓋を折り畳む為のバネ▲８▼を付けた硬質塩化ビニール板▲７▼にホック雄▲１２▼雌▲１１▼で固定し、ビニール袋▲６▼と硬質塩化ビニール板▲７▼を貼り付ける。
装置の操作は、操作盤▲１４▼圧力計▲１３▼電気配線▲１５▼により行うことが出来る折り畳み浮式蓋。
【発明の詳細な説明】
【０００１】
【発明の属する技術分野】
コンプレッサー▲１▼からの圧縮空気を送るビニールホース▲４▼、それを分岐させる分岐管▲５▼、圧縮空気を制御する逆止弁▲２▼、電磁弁▲３▼、圧縮空気により蓋を広げるためのビニール袋▲６▼、蓋を構成する硬質塩化ビニール板▲９▼付き空気入りビニールシート▲１０▼、それを、蓋を折り畳む為のバネ▲８▼を付けた硬質塩化ビニール板▲７▼にホック雄▲１２▼雌▲１１▼で固定し、ビニール袋▲６▼と硬質塩化ビニール板▲７▼を貼り付ける。
装置の操作は、操作盤▲１４▼圧力計▲１３▼電気配線▲１５▼により行うことが出来る折り畳み浮式蓋に関するものである。
【０００２】
【従来の技術】
シート等を水面に浮かしていた。
【０００３】
【発明が解決しようとする課題】
これには次のような欠点があった。
従来、シートでプールを覆う為には、人手を多く必要とし、非常に時間がかかり、シートだけでは水に沈むので、水面を浮かさせる材料を必要とした。
本発明は、以上の欠点を無くすためになされたものである。
【０００４】
【発明が解決するための手段】
コンプレッサー▲１▼からの圧縮空気を送るビニールホース▲４▼、それを分岐させる分岐管▲５▼、圧縮空気を制御する逆止弁▲２▼、電磁弁▲３▼、圧縮空気により蓋を広げるためのビニール袋▲６▼、蓋を構成する硬質塩化ビニール板▲９▼付き空気入りビニールシート▲１０▼、それを、蓋を折り畳む為のバネ▲８▼を付けた硬質塩化ビニール板▲７▼にホック雄▲１２▼雌▲１１▼で固定し、ビニール袋▲６▼と硬質塩化ビニール板▲７▼を貼り付ける。
装置の操作は、操作盤▲１４▼圧力計▲１３▼電気配線▲１５▼により行うことが出来る。
本発明は、以上の構成よりなる折り畳み浮式蓋である。
【０００５】
【発明の実施の形態】
以下、本発明の実施の形態について説明する。
プールに蓋をするには電磁弁▲３▼を閉じ、コンプレッサー▲１▼からビニールホース▲４▼分岐管▲５▼を経て、ビニール袋▲６▼に圧縮空気を送り膨らませ、バネ▲８▼で閉じていた硬質塩化ビニール板▲７▼を開かせ、空気入りビニールシート▲１０▼が水面に浮いて、蓋をした状態になり、コンプレッサー▲１▼が止まっても、逆止弁▲２▼が働いて、空気の逆流をなくす。
収納するには、電磁弁▲３▼を開き、バネ▲８▼により塩化ビニール板▲７▼が閉じ、ビニール袋▲６▼の空気が追い出され、蓋が折り畳まれる。
コンプレッサー▲１▼、電磁弁▲３▼、圧力計▲１３▼、操作盤▲１５▼を組み合わせた装置により、折り畳み浮式蓋を閉めたり、開いたりすることが、押しボタンで容易に操作出来る。
【０００６】
【発明の効果】
プールの利用時間外に、折り畳み浮式蓋を、温水プールの水面に浮かせ、蓋をし、温水と外気を断熱して、温水プールの省エネを図ることが出来る。
蓋をする事により、プールからの水蒸気の発生が少なくなり，換気量が少なくて済む。
又コンプレッサー、電磁弁、圧力計、操作盤等を組み合わせることにより、折り畳み式プール蓋を閉めたり、開いたりすることが、押しボタンで容易に出来、省力化を図ることが出来る。
部品を分割することで、プールの大きさにも容易に対応でき、故障時には部品の取替えだけで、修理費が少なくて済む。
プールのみで無く、旅館・ホテルの浴槽、下水処理場の蓋にも使用が出来る。
【図面の簡単な説明】
【図１】本発明の半開き状態の斜視図である。
【図２】本発明の半開き状態の分解斜視図である。
【符号の説明】
１    コンプレッサー
２    逆止弁
３    電磁弁
４    ビニールホース
５    分岐管
６    ビニール袋
７    硬質ビニール板
８    バネ
９    硬質ビニール板
１０  空気入りビニールシート
１１  ホック雌
１２  ホック雄
１３  圧力計
１４  操作盤
１５  電気配線
【図１】
2004339912.tif 000003
【図２】
2004339912.tif 000004
(57)【要約】      （修正有）【課題】便器本体内部の臭いを取り除く。【解決手段】便器本体と便座２との間に隙間埋めを設け、便座２に吸入口５と、排気管４を設け、外部に排気機器を設ける。【選択図】  図２
2004339913.tif 000002
【特許請求の範囲】
【請求項１】
便器内部
【図１】（３）の臭いを、直接外部に排気する．
【発明の詳細な説明】
【０００１】
【発明の属する技術分野】
この発明は、トイレの利用時に、トイレ室内全体に、臭いが充満するのを、防ぐ事が、できる、設備である
【０００２】
【従来の技術】
従来は、室内を換気扇等により、臭いの換気をすることが出来たが、臭いが多く室内に残り、不愉快であつた。
【０００３】
【発明が解決しようとする課題】
従来は換気扇、脱臭剤、香料、等設地したが、効果の即効性は期待でき無い。
本発明は，臭いを取り除いて快適空間を維持する為に、開発しようとするものである。
【０００４】
【課題を解決するための手段】
今その解決手段を図面を追いながら説明すれば、
（イ）便座
【図２】（２）に吸入口
【図２】（５）を設け、外部に排気する為の排気管
【図２】（４）を設け、外部に
【図４】の排気機器を設ける。
（ロ）便器本体と便座の間に隙間埋め
【図３】（６）を設ける。
（ハ）便器内部
【図１】（３）の臭いを、
【図２】（５）の吸入口より吸入し、排気管
【図２】（４）を通し、外部の強制、排気機器
【図４】、にて外部に排気する。
以上の構成からなる、無臭トイレである。
【０００５】
【発明の実施の形態】
本発明は、以上の構造であるから、本発明の無臭トイレを使用するときは、排気機器
【図４】を起動させ、使用する。
【０００７】
【発明の効果】
臭いがない快適空間が維持出来る為に、間を置かずに次ぎの者が快適に利用できる、本発明の無臭トイレ
【図面の簡単な説明】
【図１】本発明の洋式便器上面図
【図２】本発明の洋式便器の便座斜視図
【図３】（Ａ）は本発明の洋式便器の便座内側断面図
（Ｂ）は本発明の洋式便器の便座外側断面図
【図４】排気機器側面図
【符号の説明】
１  水タンク
２  便座
３  便器内部
４  排気官
５  吸入口
６  隙間埋め
７  排気機器、吸入口
８  排気機器、排気口
９  排気機器本体
【図１】
2004339913.tif 000003
【図２】
2004339913.tif 000004
【図３】
2004339913.tif 000005
【図４】
2004339913.tif 000006
(57)【要約】【課題】家庭用水タンクの内側に金属酸化物ガラス膜を施し、その水槽の中にセイント鉱石を入れ、飲料水としての優れた水質にする受水槽を提供する。【解決手段】図１で示す通り、▲１▼金属酸化物ガラス膜をタンクの内側に施し、▲２▼セイント鉱石を入れ、図３で示す通り雨水を利用する為、▲１６▼濾過装置を通し、タンクに溜め込み飲料水として利用する為、１時間毎に５分間タンク内の水を撹拌する。又、▲１５▼蛇口の根部分に▲１１▼木炭、竹炭を備え付ける。尚、タンク内の水が満タンになると▲１８▼浮の部分が水面と平行になる事で▲１７▼ゴムパッキンが水の入水を防ぎ、▲１６▼濾過装置の部分で水が溢れ、通常の雨といに流れる仕組みであり、２１世紀は必ず不足するであろう飲料水を自己の責任で安全な水を自然物で確保する為の物であり、個々が水資源の重要性と大切さを認識し、限りある資源を天からの恵みとしてとらえてもらいたい。又、家庭用水タンクの形態に付いては円型でも四角型でも良い。【選択図】    図３
2004339911.tif 000002
【特許請求の範囲】
【請求項１】
水タンクは金属及びＦＲＰで構成されているが、水タンクの内側に金属酸化物ガラス膜を施し、雨水を集水して飲料水とする事を特徴とする家庭用水タンク。
【請求項２】
雨水を貯めた水タンクの中にφ２ｃｍ〜３ｃｍに破砕したセイント鉱石を水タンクの量の５％〜１０％を入れ、雨水を布、綿などで濾過し、１時間に５分の割合でスクリューで水を撹拌し、蛇口に至る前に炭で濾過し、籠は銀メッキを施す事を特徴とした家庭用水タンク。
【発明の詳細な説明】
【０００１】
【発明の属する技術分野】
本願発明は、家庭用水タンクを雑菌、薬、カビ、水の酸化を防止する効果を無害な自然物を使用する事で発揮できる飲料水の家庭用水タンクに関する。
【０００２】
【従来の技術】
従来は家庭用の水は井戸か水道を利用。その水を飲料水、浴槽、トイレ等全てに利用している。水道水の浄化は塩素を入れるなど薬品を使用する為、専門的に飲料水としての家庭用水タンクなどは無く、従来の受水槽なども寒暖の温度差で水が劣化、害虫、腐敗などの問題が発生する問題があり、特に都市部では飲料水としては適さないと言う事もあり、普段でもカルキ臭いなどの問題も発生している。
【０００３】
【発明が解決しようとする課題】
本願発明は、上記の点から家庭用水タンクの内側に金属酸化物ガラス膜を施し、タンク内にセイント鉱石を入れる事で水の酸化を防止し、人工のミネラルウォーターに変化させ、水をスクリューで１時間に数分撹拌し、水の劣化を防止する家庭用水タンクを提供する。
【０００４】
【課題を解決するための手段】
従来の水道水は飲料、トイレ、風呂、洗濯など水質に対する配慮に欠けていた。特に飲料水は塩素などの投入により人間の体に害を及ぼすなど、飲料水として適さない問題が生じている。本願発明は、雨水の水質を向上させ、酸性雨などを除き雑菌、害虫の発生を防止、それらを自然物で解決し安全に水質向上を容易に解決できる事を特徴としている。家庭用水タンクである。
【０００５】
【目的】
本願発明は、家庭用水タンクの内部に金属酸化物ガラス膜を施し、そのタンク内にセイント鉱石を入れた家庭用水タンクを提供する。
【０００６】
【発明の実施の形態】
本願発明に係る実施形態例に付いては図面にて詳細に説明する。
【０００７】
図１、図２で示す通り▲６▼ＦＲＰ、ＰＰの内側に▲１▼金属酸化物ガラス膜を施す。
その水の中に▲２▼セイント鉱石を入れ、▲１２▼スクリューで１時間に５分くらいの割合で撹拌し、▲１１▼木炭、竹炭で浄化して▲１５▼蛇口に行く。又、雨水を受ける際も▲１９▼布、綿状の物でゴミ、その他の不純物を除く。
【０００８】
家庭用水タンクは雨水を入口で濾過し、集水した水を▲２▼セイント鉱石と▲１▼金属酸化物ガラス膜を施した飲料水専用の水タンクに入れ、又出口にも濾過装置を置く。水槽の中には銀メッキの金属の▲８▼籠を設置し、雑菌を防止する。
【図面の簡単な説明】
【図１】家庭用水タンクの切断図
【図２】断面図
【図３】正面切断図
【図４】濾過装置切断図
【図５】セイント鉱石の籠
【図６】木炭、竹炭の籠
【図７】スクリュー
【図８】水の浮
【符号の説明】
▲１▼  金属酸化物ガラス膜
▲２▼  セイント鉱石
▲３▼  水槽
▲４▼  土台
▲５▼  雨とい
▲６▼  ＦＲＰ、ＰＰ
▲７▼  水槽受け
▲８▼  籠
▲９▼  ＰＶＣ
▲１０▼  階段
▲１１▼  木炭、竹炭
▲１２▼  スクリュー
▲１３▼  屋根
▲１４▼  Ｕ字講
▲１５▼  蛇口
▲１６▼  濾過装置
▲１７▼  ゴムパッキン
▲１８▼  浮
▲１９▼  布、綿
【図１】
2004339911.tif 000003
【図２】
2004339911.tif 000004
【図３】
2004339911.tif 000005
【図４】
2004339911.tif 000006
【図５】
2004339911.tif 000007
【図７】
2004339911.tif 000008
【図８】
2004339911.tif 000009
【手続補正書】
【提出日】平成15年7月29日(2003.7.29)
【手続補正１】
【補正対象書類名】図面
【補正対象項目名】図５
【補正方法】変更
【補正の内容】
【図５】
2004339911.tif 000010
【手続補正２】
【補正対象書類名】図面
【補正対象項目名】図６
【補正方法】変更
【補正の内容】
【図６】
2004339911.tif 000011
【手続補正３】
【補正対象書類名】図面
【補正対象項目名】図７
【補正方法】変更
【補正の内容】
【図７】
2004339911.tif 000012
【手続補正４】
【補正対象書類名】図面
【補正対象項目名】図８
【補正方法】変更
【補正の内容】
【図８】
2004339911.tif 000013
(57)【要約】      （修正有）【課題】車両用ロールカーテンは、熱を遮蔽する効果があるが、外部の光景が見えなくなるという不具合に対し、着席した乗客には熱遮蔽効果があり、立っている乗客には外部が見えるロールカーテンを提供する。【解決手段】車両用ロールカーテンの下部は熱遮蔽材１１を使用し、上部は光透過材１２を使用することを特徴とする。【選択図】              図１
2004339903.tif 000002
【特許請求の範囲】
【請求項１】
窓部に取り付けられるロールカーテンにおいて、下部は熱遮蔽材とし、上部は光透過材とすることを特徴とする車両用ロールカーテン。
【請求項２】
窓部に取り付けられるロールカーテンにおいて、光透過材を素材とし、下部は複数枚の光透過材で構成したことを特徴とする車両用ロールカーテン。
【請求項３】
窓部に取り付けられるロールカーテンにおいて、少なくとも下部は熱遮蔽材とし、上部は一部カーテン生地を除去した構造とすることを特徴とする車両用ロールカーテン。
【発明の詳細な説明】
【０００１】
【発明の属する技術分野】
本発明は、車両の窓部分に取り付けられるロールカーテンの改良にかかわるものである。
【０００２】
【従来の技術】
図３は、従来から使用されているロールカーテンを下ろした状態を正面からみたものである。
図中、１は横棒、２は熱遮蔽材、３は掛け金、４は窓である。図のように従来はロールカーテン全体が同一の熱遮蔽材で構成されていた。
【０００３】
【発明が解決しようとする課題】
従来の方式では熱遮蔽効果はあるが、外部を見ることができなくなるため、次の駅を案内する放送を聞き漏らしたような場合に停車駅の名を見ることもできないという不具合があった。また、長時間立ち続ける乗客にとって、外界が見えないということは退屈極まりない時間を過ごすことになり不評であった。
【０００４】
【課題を解決するための手段】
本発明は、このような課題を解決するためになされたものである。つまり、窓部に取り付けられるロールカーテンにおいて、下部は熱遮蔽材とし、上部は光透過材とするロールカーテンを提供するものである。
【０００５】
また、窓部に取り付けられるロールカーテンにおいて、光透過材を素材とし、下部は複数枚の光透過材で構成し、熱遮蔽効果を持たせたロールカーテンを提供するものである。
【０００６】
また、窓部に取り付けられるロールカーテンにおいて、少なくとも下部は熱遮蔽材とし、上部は一部カーテン生地を除去した構造とする。
【０００７】
【発明の実施の形態】
以下、本発明の詳細を図によって説明する。図１は、本発明の一例であり、１１は熱遮蔽材、１２は光透過材である。光透過材の例としてはアクリル系繊維や塩化ビニリデン、ポリクラール系繊維、ガラス繊維等で透明性の高い材料や織り目の粗い材料が用いられる。一方、下部の熱遮蔽材としては、同様にアクリル系繊維や塩化ビニリデン、ポリクラール系繊維、ガラス繊維等で熱を反射し易い色で着色した材料や織り目の細かい材料などが用いられる。なお、図３と同一符号部分は同一機能、同一構成である。
このようにすることにより、窓際に着席した乗客にとっては熱遮蔽効果があり、一方、立ちっぱなしの乗客にとって、上部の光透過材を通して外部の光景を見ることができるので案内放送を聞き漏らしても停車駅名を目で確認することができる。また、長時間立ち続ける乗客にとって、外部の光景が見えるというのは退屈を紛らすことができる効果がある。なお、熱遮蔽材と光透過材の接合部は縫い合わせたり、熱を加えて接着したりするが、本発明の請求項１の骨子は熱遮蔽材と光透過材に区分けすることにあり、接合の方法に係わるものではない。したがって、接合方法がどのような方法であっても熱遮蔽材と光透過材に区分けされていれば本発明の一例であることは言うまでもない。
【０００８】
図２は、本発明の他の一例としてロールカーテンを示すものである。図中、２１は光透過材であり、図の如く、上部は光透過材（織り目の粗いサランなどが用いられる）を一重とすることにより立ちっぱなしの乗客が外部の光景を見ることが可能である。２２、２３は同じく光透過材であるが、図の如く下部を二重にし、間に空気の層を設けることにより、外部の熱が車両内部に伝わりにくくするものである。なお、２４は枠材であり、空気の層を確実に設けるためには本品があったほうが熱遮蔽効果は良いが、なくても、多少の隙間はできるので必ずしも必要とは限らない。
このようにすることにより、座席に着席している乗客に対して熱が伝わりにくくなる。なお、図２では下部を二重にする場合について説明したが、三重以上にするのも本発明の一例であることは言うまでもない。
【０００９】
図４は、本発明の別の一例である。図中、３１は熱遮蔽材であり、熱遮蔽材１１と同様の素材が用いられる。３３はすて生地である。なお、すて生地の上部は巻き枠に巻かれるが、上方部分は本図では省略している。すて生地は、カーテンが下りた状態においても窓上部車体内に残る部分である。３２はすて生地と下部の熱遮蔽材を接続する接続材であり、すて生地と左右の接続材と下部の熱遮蔽材に囲まれる部分はカーテン生地が除かれており、外部の状況が見える構造となっている。熱遮蔽材３１と左右の接続材３２は一枚のカーテン生地から上方部分を取り除いて製作しても良いし、素材の使用量を減らすため、接続材３２を熱遮蔽材３１とは別の材料を使用し、縫製、あるいは熱を加えて接着しても良い。
【００１０】
【発明の効果】
本発明によれば、窓際に着席した乗客にとって、熱遮蔽効果があり、立ちっぱなしの乗客には外部の光景が見えるという効果がある。
【図面の簡単な説明】
【図１】本発明の一例を示すものである。
【図２】本発明の他の一例を示すものである。
【図３】従来から行われている車両用ロールカーテンの一例である。
【図４】本発明の他の一例を示すものである。
【符号の説明】
１          横棒
２          熱遮蔽材
３          掛け金
４          窓
１１        熱遮蔽材
１２        光透過材
２１        光透過材
２２        光透過材
２３        光透過材
２４        枠材
３１        熱遮蔽材
３２        接続材
３３        すて生地
【図１】
2004339903.tif 000003
【図２】
2004339903.tif 000004
【図３】
2004339903.tif 000005
【図４】
2004339903.tif 000006
(57)【要約】【課題】排水管位置に誤差があっても、小便器が正確な位置に設置しやすく取り付けが容易にでき、小便器給水接続を床給水、壁給水の両方に対応できる。【解決手段】オネジフランジ２を排水管に差し込み固定しジャバラホース１で小便器排水口とオネジフランジ２を接続し、小便器給水接続口１０を下部に用いる。【選択図】        図１
2004339907.tif 000002
【特許請求の範囲】
【請求項１】
ジャバラホース（１）とオネジフランジ（２）を用いて排水管と小便器を接続する部品。
【請求項２】
壁掛けタイプの小便器の場合、下方からビスで左右、上下の固定が出来る下地シート（３）。
【請求項３】
小便器給水接続口１０を下部に用い床給水にも対応する。
【発明の詳細な説明】
【０００１】
【発明の属する技術分野】
本発明は、小便器を簡単かつ正確に取り付けする方法に関する。
【０００２】
【従来の技術】
従来の小便器取り付けにおいては、フランジガスケットを使用し小便器の排水口を密接し接続する、そして給水を上部で接続する。
【０００３】
【発明が解決しようとする課題】
従来の小便器の排水管接続にあっては、従来のフランジを使用すると排水管の位置で小便器の位置が決まるようになり、給水管との位置のずれ、壁排水の場合の排水管の高さの誤差による小便器の高さの調整、床排水の場合の小便器と壁面の隙間調整が容易ではなかった。
【０００４】
本発明は、取り付け時の微調整を簡素化し、正確な位置に小便器を設置することを目的としている。
【０００５】
【課題を解決するための手段】
上記目的を達成するために、本発明の小便器の排水管接続においては、ジャバラホースで接続し、排水管位にの誤差があっても容易に取り付けが出来るもので小便器給水接続口も下部に用いる。
【０００６】
壁排水の場合のジャバラホースの長さは、排水管上限位置の時たるみなく勾配が保てる長さとする。よって排水管下限位置になるにつれて勾配がつくものとなる。
【０００７】
床排水の場合も、小便器の排水口と排水管の位置が最短となる時ににたるみが多く逆勾配とならない長さで、その範囲で排水管位置に対応出来るものとする。
【０００８】
ジャバラホースのネジ部、ナット部、オネジフランジは樹脂製のものを使用しパッキンを手締めで効果の得られるものとする。
【０００９】
小便器排水口は円筒に突起したもので、上部ナットが外周に差し込める大きさを必要とし、給水接続口を床給水も出来る下部に用いる。
【００１０】
壁掛けタイプの小便器においては、オネジフランジに下地シートを重ねて壁面にとも締めし、下部からビスを締めることにより左右、上下の固定が出来る。
小便器は底面が解放され上げ底になったものが必要とされる。
【００１１】
床面に設置するタイプの小便器においては、取り付け時に点検口ともなる開口部がありデザイン的にも優れた小便器が必要とされる。
【００１２】
そして上記した理由から、増改築で排水管寸法をだすとき既設の柱、壁等のくるいによる誤差がおきても対応でき、複数に壁掛けタイプの小便器設置時に、高さを揃えることが容易に出来る。
【００１３】
【発明の実施の形態】
図１において、オネジフランジ２を排水管に接着、ビス止め後、小便器排水口の円筒部に上部ナット４、上部パッキン５をはめジャバラホースネジ部６を差し込み上部ナット４を締め付け、オネジフランジ２に下部パッキン７を添え下部ナット８を締め付ける。図２は同じもので壁排水の場合で接続後の状態。
【００１４】
図３においては、小便器にトラップのないものでジャバラホースにトラップを設けたもので、図４はおなじもので壁排水の場合で接続後の状態。
【００１５】
図５、図６は壁掛けタイプの小便器底部９に、オネジフランジ２と壁面のあいだに下地シート３をいれ壁にとも締めし、矢印方向に下からビス固定する。
【００１６】
図７，図８は小便器給水接続口１０を下部に用い床給水、壁給水の両方に対応出来るもの。
【図面の簡単な説明】
【図１】ジャバラホース取付部の実施例を示す縦断面図である。
【図２】ジャバラホース取付部の実施例を示す縦断面図である。
【図３】トラップ付きジャバラホース取付部の実施例を示す縦断面図である。
【図４】トラップ付きジャバラホース取付部の実施例を示す縦断面図である。
【図５】壁掛けタイプの小便器固定の実施例を示す縦断面図である。
【図６】オネジフランジと下地シートを矢印方向にビスでとも締めを示す図である。
【図７】小便器給水接続口の実施例を示す正面図である。
【図８】小便器給水接続口の実施例を示す正面図である。
【符号の説明】
１  ジャバラホース
２  オネジフランジ
３  下地シート
４  上部ナット
５  上部パッキン
６  ジャバラホースネジ部
７  下部パッキン
８  下部ナット
９  壁掛けタイプ小便器の底部
１０  小便器給水接続口
【図１】
2004339907.tif 000003
【図２】
2004339907.tif 000004
【図３】
2004339907.tif 000005
【図４】
2004339907.tif 000006
【図５】
2004339907.tif 000007
【図６】
2004339907.tif 000008
【図７】
2004339907.tif 000009
【図８】
2004339907.tif 000010
(57)【要約】【課題】窒化ガリウムのナノチューブを製造する。【解決手段】三酸化ガリウムを窒素ガス気流中で１２００〜１３００℃に加熱した後、窒素ガスをアンモニアガスに切り替え、アンモニアガス気流中で１３５０〜１４５０℃に加熱する。【選択図】          図１
2004339020.tif 000002
【特許請求の範囲】
【請求項１】
三酸化ガリウムを窒素ガス気流中で１２００〜１３００℃に加熱した後、窒素ガスをアンモニアガスに切り替え、アンモニアガス気流中で１３５０〜１４５０℃に加熱することを特徴とする窒化ガリウムナノチューブの製造方法。
【発明の詳細な説明】
【０００１】
【発明の属する技術分野】
この出願の発明は、窒化ガリウムナノチューブの製造方法に関するものである。さらに詳しくは、この出願の発明は、フルカラーの平面ディスプレイ、高電力用デバイス、青色発振レーザー、光通信分野への応用が期待されている窒化ガリウムのナノチューブを製造することのできる窒化ガリウムナノチューブの製造方法に関するものである。
【０００２】
【従来の技術】
窒化ガリウム（ＧａＮ）は、３．３９ｅＶのバンドギャップを有する半導体であり、青色発光や紫外発光を示す材料である。このことから、窒化ガリウムは、フルカラーの平面ディスプレイ、高電力用デバイス、青色発振レーザー、光通信分野への応用が期待されている。このような窒化ガリウムのナノワイヤー若しくはナノロッドは、鋳型を用いた合成法（たとえば、非特許文献１参照）、金属触媒を用いたレーザー加熱法（たとえば、非特許文献２参照）、熱フィラメントの気相−液相−固相成長法（たとえば、非特許文献３参照）、酸化ガリウムとアンモニアとの反応（たとえば、非特許文献４参照）等によって製造されている。
【０００３】
【非特許文献１】
Ｗ．Ｑ．Ｈａｎｎ外，サイエンス（Ｓｃｉｅｎｃｅ），１９９７年，第２７７巻，ｐ．１２８７
【非特許文献２】
Ｘ．Ｆ．Ｄｕａｎ外，ジャーナル・オブ・アメリカン・ケミカル・ソサイエティ（Ｊ．Ａｍ．Ｃｈｅｍ．Ｓｏｃ．），２０００年，第１２２巻，ｐ．１８８
【非特許文献３】
Ｘ．Ｙ．Ｐｅｎｇ外，ケミカル・フィジックス・レターズ（Ｃｈｅｍ．Ｐｈｙｓ．Ｌｅｔｔ．），２０００年，第３２７巻，ｐ．２６３
【非特許文献４】
Ｃ．Ｃ．Ｃｈｅｎ外，アドバンスト・マテリアルズ（Ａｄｖ．Ｍａｔｅｒ．），２０００年，第１２巻，ｐ．７３８
【０００４】
【発明が解決しようとする課題】
しかしながら、内部が中空になっている窒化ガリウムナノチューブはまだ製造されていない。
【０００５】
この出願の発明は、このような事情に鑑みてなされたものであり、窒化ガリウムのナノチューブを製造することのできる窒化ガリウムナノチューブの製造方法を提供することを解決すべき課題としている。
【０００６】
【課題を解決するための手段】
この出願の発明は、上記の課題を解決するものとして、三酸化ガリウムを窒素ガス気流中で１２００〜１３００℃に加熱した後、窒素ガスをアンモニアガスに切り替え、アンモニアガス気流中で１３５０〜１４５０℃に加熱することを特徴とする窒化ガリウムナノチューブの製造方法（請求項１）を提供する。
【０００７】
以下、実施例を示し、この出願の発明の窒化ガリウムナノチューブの製造方法についてさらに詳しく説明する。
【０００８】
【発明の実施の形態】
この出願の発明の窒化ガリウムナノチューブの製造方法では、上述のとおり、三酸化ガリウムを窒素ガス気流中で１２００〜１３００℃に加熱した後、窒素ガスをアンモニアガスに切り替え、アンモニアガス気流中で１３５０〜１４５０℃に加熱する。その結果、均一な外径、内径及び肉厚を有する窒化ガリウムナノチューブが得られる。
【０００９】
【実施例】
長さ５０ｃｍ、外径１２ｃｍ、肉厚０．２５ｃｍの透明な縦型石英管の中に、長さ２５ｃｍ、外径４．５ｃｍ、内径３．５ｃｍのグラファイト製の誘導加熱を行う円筒を配置した。なお、円筒は、カーボンファイバー製断熱材で被覆されており、ガス導入管とガス排出管とが取り付けられている。この円筒の中心部に外径２．５ｃｍ、肉厚３ｍｍ、高さ２ｃｍのグラファイト製るつぼを配置し、その中に２．０ｇの三酸化ガリウム（Ｇａ２Ｏ３）の粉末（純度９９．９％）を入れた。
【００１０】
石英管に窒素ガスを８０ｓｃｃｍの流速で流しながら、三酸化ガリウムを１２５０℃に加熱し、この温度に１．５時間保持した。次いで、窒素ガスに替え、アンモニアガスを同じ流速で流し、１４００℃で１時間加熱した。加熱終了後、室温まで冷却し、カーボンファイバー製断熱材に堆積した灰黒色の生成物を採取した。
【００１１】
生成物のＸ線回折パターンを調べた結果、格子定数ａ＝３．１８５Å、ｃ＝５．１７７Åの六方晶系のウルツ型構造である窒化ガリウムであることが確認された。生成物の代表的な透過型電子顕微鏡像を図１に示した。外側が暗く、内側が明るいことから中空部が存在し、ナノチューブ構造であることが確認された。ナノチューブは、長さが数マイクロメートルから数十マイクロメートルにわたっていて、均一な外径、内径及び肉厚を有していた。典型的なナノチューブでは、外径が５０ナノメートル、肉厚が１５ナノメートルであった。また、ナノチューブの約８０％は、先端が開口した直線形状を有し、大部分は多結晶であった。
【００１２】
一方、少量生成した先端が閉じたナノチューブの壁面の一部分を高分解能透過型電子顕微鏡で観察した結果、単結晶構造を示す格子像が得られた。これは面間距離が０．１６ナノメートルであった。さらに電子線回折で調べると、ナノサイズの微結晶であり、完全には配列していないことが分かった。
【００１３】
図２は、ナノチューブのＸ線エネルギー拡散スペクトルを示しているが、ガリウムと窒素の原子比は１：１．１０であり、組成がＧａＮであることが確認された。なお、スペクトル中のＣｕのシグナルは、透過型電子顕微鏡の銅グリッドに由来するものである。また、Ｏのシグナルは、窒化ガリウムナノチューブの外側の酸化された薄層のＧａＯｘのＯに由来するものである。
【００１４】
もちろん、この出願の発明は、以上の実施形態及び実施例によって限定されるものではない。窒化ガリウムナノチューブの製造に用いた装置の構成及び構造、窒素ガス及びアンモニアガスの流速の諸条件等の細部については様々な態様が可能であることはいうまでもない。
【００１５】
【発明の効果】
以上詳しく説明したとおり、この出願の発明によって、フルカラーの平面ディスプレイ、高電力用デバイス、青色発振レーザー、光通信分野への応用が期待されている窒化ガリウムのナノチューブが製造される。
【図面の簡単な説明】
【図１】実施例で得られた生成物の高倍率透過型電子顕微鏡像である。
【図２】実施例で得られた生成物のＸ線エネルギー拡散スペクトルである。
【図１】
2004339020.tif 000003
【図２】
2004339020.tif 000004
(57)【要約】【目的】スギ科、ヒノキ科、の花粉の成長と飛散を選択的に抑制できる薬剤【構成】３−オキソブタン酸エステル、の１種または２種以上を分散剤の水または有機溶剤に０．１〜１０重量％含むスギ科、ヒノキ科の花粉の成長と花球の開球と花粉の飛散を抑制できる抑制剤で、必要に応じて２，４−ジクロロフェノキシ酢酸を数ｐｐｍ添加することもできる。【特許請求の範囲】
【請求項１】
ＣＨ３ＣＯＣＨ２ＣＯＯＲ１    （１）
［式中Ｒ１は炭素数１〜４のアルキル基を表す］で表す３−オキソブタン酸エステルの１種または２種以上を分散剤の水または有機溶剤に０．１〜１０重量％含有する花粉の発生と飛散抑制剤。
【発明の詳細な説明】
【０００１】
［発明の属する利用分野］
本発明はスギ及びヒノキ科の花粉の発生と飛散の抑制剤に関する。
【０００２】
［従来の技術］
スギ及びヒノキ科の花粉は花粉症の原因の主要部分を占めているが林業上の経済性から，これらの木を選択的に植林して来た。植林には苗を挿し木によって作る方法と種をまいて作る方法があるが、いづれも歴史上は花粉を沢山つける苗づくりが選択されてきた。植林してから数十年経過してから多量の花粉を飛散するので、花粉の少ない品種の苗を移植する地域もあるが、新たな苗が植えられるまでには永い年月を必要とする。花粉を発生させない化学的方法にはＩＡＡ、２，４−Ｄ、などのホルモン型物質のほか、非ホルモン型物質が主に除草剤として使用されているがスギ花粉抑制に使用されている薬剤は開発されていない。
【０００３】
［発明が解決しようとする課題］
（１）スギ及びヒノキ科の花粉の成長、飛散を選択的に抑制し、木の成長には影響しないこと、
（２）花粉の成長時期に広範囲な森林に散布できること、
（３）人畜及びすべての生物に無害であること。
【０００４】
［課題を解決するための手段］
本件の特許出願者がスギの挿し木の発根、発芽、成長を目的に開発した技術の、日本特許第１３１５０８５号（昭和６１年４月２８日）植物の成長を促進する方法を追試していた過程で、３−オキソブタン酸エステルの水溶液を花粉の成長時期にスギとヒノキの枝葉に散布した結果、一定の濃度以上では花粉細胞の成長が止まり、成長した花粉も雄花の球花が閉じた状態で落下する現象をを発見した。
【０００５】
［スギ科およびヒノキ科花粉の形状］
スギ花粉の入った花球は卵形で長さは平均６ｍｍ，ヒノキ花球も卵形で長さ３ｍｍでこの２つの科は以前は分類上いずれもヒノキ科に属していたので外形上は似ている。それでスギ花粉について説明しておくと、多数のおしべは螺旋状に配列して球花をつくり、おしべには２〜９個の花粉嚢からできている。２〜４月花粉が成長すると花粉嚢が破れ、花球も開いて中から大量の花粉が飛散して最盛期は黄色い煙りように見える。花粉１個の大きさは約２０μｍであるから１億個／ｍｌの個数出ある。この花粉を飛散させない為には、花粉を成長させないよう細胞分裂を阻止するか、花粉嚢、と花球を開かないようにして花球のまま地上に落下させれば目的を達成できる。
【０００６】
この目的のためには植物ホルモン散布が考えられるが、本発明では３−オキソブタン酸エステル、通常名アセト酢酸エステルを使用した。このなかでもアセト酢酸エチルは植物の葉の香りのする爽快な物質で０．１％以下の濃度では発芽発根を促進する物質であったが、濃度０．５％以上の水溶液を散布するか、或いは花粉のできる葉を浸けるとスギ科とヒノキ科の花粉の成長が止まり、すでに成長した花粉は花球と花粉嚢が開かないまま落下し花粉の飛散を防止できた。
【０００７】
［花粉の成長と飛散防止剤の調製方法］
アセト酢酸メチルエステル、アセト酢酸エチルエステル、アセト酢酸プロピルエステル、アセト酢酸ブチルエステル、のうち水に対する溶解度はメチルエステル、とエチルエステル、は実用上使用可能な濃度に溶解するので３％水溶液で使用する。プロピルエステル、とプチルエステルはメタノール６％溶液をつくり使用時に水で希釈して所定の濃度とした。
【０００８】
アセト酢酸エチルを噴霧器で花球のある枝葉に２月、３月、４月、各１回づつ計３回散布してそれぞれの散布１０日後花粉が飛散するか、飛散しないか観察した。判定の基準は花粉が成長して花粉嚢と花粉の入っている花球が開くか、閉じているかで判断できた。さらに進行すると花球が閉じたままで落花するので飛散は抑えられた。
実施例１、本発明の薬剤を散布後１０日経過後の花粉の飛散と花球の状態を第１表に記載した。
2004339188.tif 000002
【０００９】
ヒノキ花粉についてはスギ花粉より花粉の発生時期が３週間遅れる外は本質てきに変わらなかった。花球が開く傾向はスギ花球より少し強い。これは気温が高くなるためと関係が深い。スギ、ヒノキは雌雄異株であるが雌雄同株の他の柑橘、桃などの植物、菜種、大根、の野菜とか花卉類には、影響がなかった。実用的にはヘリコプターを使用する広範囲な散布を必要なため開花が同時期における果樹の交ざっている森林の散布は避けた方がよい。
【００１０】
実施例２、実施例１に２，４−ジクロロフェノキシ酢酸を１０ｐｐｍ添加した場合第２表  に示す。
2004339188.tif 000003
【００１１】
発明の経済効果、花粉症の人は２００３年の時点で人口の１５％と見積もられており毎年増加の傾向にある。これはヒトが植林によって経済性のある人工林に転換した為である。花粉症を和らげるには花粉の発生と飛散を抑える技術が重要である。
(57)【要約】【目的】コロナウイルスへの感染を予防する皮膚外用剤および口腔洗浄剤。【構成】０．０１重量％から１．０重量％の２，４，４’−トリクロロ−２’−ヒドロキシジフェニルエーテル（慣用名トリクロサン）または０．１重量％から１０．０重量％のエチレングリコールモノフェニルエーテル（慣用名フェノキセトールまたはフェノキシエタノール）または０．０１重量％から０．５重量％の３−（４−クロロフェノキシ）１，２−プロパンジオール（慣用名クロルフェネシン）の１種以上を配合してなるコロナウイルスに対する感染を予防する皮膚外用剤および口腔洗浄剤。重症急性呼吸器症候群（ＳＡＲＳ）のコロナウイルスを不活化し、手指や口腔を消毒する。【選択図】        なし【特許請求の範囲】
【請求項１】
０．０１重量％から１．０重量％の２，４，４’−トリクロロ−２’−ヒドロキシジフェニルエーテル（慣用名トリクロサン）または０．１重量％から１０．０重量％のエチレングリコールモノフェニルエーテル（慣用名フェノキセトールまたはフェノキシエタノール）または０．０１重量％から０．５重量％の３−（４−クロロフェノキシ）１，２−プロパンジオール（慣用名クロルフェネシン）の１種以上を配合してなるコロナウイルスに対する感染を予防する皮膚外用剤および口腔洗浄剤。
【発明の詳細な説明】
【０００１】
【発明の属する技術分野】
本発明は、人類未体験の変種コロナウイルスの感染に伴い発症する重症急性呼吸器症候群（ＳＡＲＳ）の予防に関する。
【０００２】
【従来の技術】
感染症情報センターの資料によれば、現在有効な消毒方法は、加熱処理がもっとも有効であるが、加熱処理を施せない対象については次亜塩素酸ナトリウムやグルタルアルデヒド、ホルムアルデヒド、ヨードなどが推奨されているが、いずれも刺激性やアレルギー性が高くヒトへの消毒剤としては用いることが出来ない。  用いる事が可能な物質として、消毒用エタノール（８０％以上）が上げられるが、消防上の観点や高濃度エタノールによる皮膚刺激反応やアレルギー反応、皮膚の乾燥により実際の取り扱いおよび使用が難しい。  他方塩化ベンザルコニウムやグルクロン酸クロルヘキシジンなどの消毒剤があるが、明確に有効な手段とは報告されていない。
【０００３】
【本発明が解決しようとする課題】
従来の技術では、感染を予防する効果が低く、安全性または健康上問題のある手段も多く、有効な消毒法がなく、全世界的な蔓延を招いている。
【０００４】
【問題を解決するための手段】
０．０１重量％から１．０重量％の２，４，４’−トリクロロ−２’−ヒドロキシジフェニルエーテル（慣用名トリクロサン）または０．１重量％から１０．０重量％のエチレングリコールモノフェニルエーテル（慣用名フェノキセトールまたはフェノキシエタノール）または０．０１重量％から０．５重量％の３−（４−クロロフェノキシ）１，２−プロパンジオール（慣用名クロルフェネシン）の１種以上を配合してなるコロナウイルスに対する感染を予防する皮膚外用剤および口腔洗浄剤。
【０００５】
本発明は、当該重症急性呼吸器症候群（ＳＡＲＳ）の原因であるコロナウイルスの変種を死滅不活性化する。一般的にコロナウイルスはエンベロープを有するウイルスであり、本ウイルスは一般的にエーテルに対し感受性のタイプである。このエーテル感受性に着眼し、いわゆる消毒や防腐殺菌剤の中から、エーテル基を有する種類を集め試験を実施した。試験方法は、一般的なウイルス培養溶液に２％重量ウシ胎児血清を補足し、３７度にて当該コロナウイルスを培養し、接種１日後、２日後、４日後にウイルスを分離しカウントした。
【０００６】
以下実施例をあげて、その効果を説明する。実施例と比較例およびその結果を表１に記載した。比較例には陽性対照として、０．５重量％ホルムアルデヒド水溶液、０．１重量％塩化ベンザルコニウム水溶液、０．１重量％グルクロン酸クロルヘキシジン水溶液を用い、無処置対照としては培養液のみを用いた。実施例は実施例３の０．１重量％トリクロサン液または実施例２の０．５重量％フェノキセトール液、実施例１の０．１重量％クロルフェネシン液のそれぞれの単独溶液と、実施例４の０．１重量％トリクロサンおよび０．５重量％フェノキセトールの混合液および実施例５の０．１重量％クロルフェネシンおよび０．５重量％フェノキセトール混合液を用いた。  実施例の基剤は２０重量％エタノールである。
【０００７】
その結果、比較例４の無処置対照は接種直後１０００万ユニットのウイルスを認めたが、徐々に減少しはじめ、接種４日後に当該ウイルスは死滅した。  比較例では、ホルムアルデヒドの効果がもっとも高く接種３０分後から１０の４乗ユニットの減少を認め、１日後には死滅した。ついでグルクロン酸クロルヘキシジンの効果が高く、塩化ベンザルコニウムにも若干劣る物の効果を認めた。実施例では実施例３のトリクロサンに高い効果を認め、ついで実施例１のクロルフェネシンが続き、ついで実施例２のフェノキセトールであった。さらに実施例４のトリクロサンおよびフェノキセトールの混合液および実施例５では、接種３０分後から１０の５乗から１０の４乗ユニットの減少を認めホルムアルデヒドに匹敵する相乗効果を認めた。
【０００８】
【表１】
2004339103.tif 000002
(57)【要約】【課題】平らな面に貼ったり、剥がしたりできる、いろいろな香りとマイナスイオン等の効果が期待でき、楽しめる板状の樹脂を提供する。【解決手段】樹脂に香料やマイナスイオン等を混合して板状にしたものでいろいろな形にカットして浴室や室内、ガラス面などの凹凸のない面に貼れる板状樹脂。【選択図】図１
2004339455.tif 000002
【特許請求の範囲】
【請求項１】
樹脂に香料やマイナスイオンを混合して板状にしたもので、いろいろな形にして浴室や室内の凹凸のない壁面やガラス面、プラスチック面などに貼ったり剥がしたりできる板状の樹脂。
【発明の詳細な説明】
【０００１】
【発明の属する技術分野】
本発明は、樹脂に各種の香料やマイナスイオンを混合することにより、目的に応じて形を作り、それぞれの香りやマイナスイオンの効果を気軽に楽しめるようにしたものである。
【０００２】
【従来の技術】
従来は、凹凸のない、滑らかな面に何度も貼ったり、剥がしたりできて、水にも強く、香りやマイナスイオンの効果を楽しむ板状の樹脂はなかった。
【０００３】
【発明が解決しようとする課題】
これには次のような欠点があった。
（イ）板状の樹脂で滑らかな面にくり返し貼ったり、剥がしたりでき、香りやマイナスイオンの効果を同時に楽しむものはなかった。
本発明は、これらの欠点を除くためになされたものである。
【０００４】
【課題を解決するための手段】
樹脂に香料やマイナスイオンを混合して、板状にし、表面に香りにマッチしたイラストや写真を印刷する。又いろいろな形にカットして、浴室や室内など、凹凸のない面であれば、どこにでも何度でも貼りかえることができる。
本発明は、以上の構成よりなる香料やマイナスイオン入りの板状の樹脂である。
【０００５】
【発明の実施の形態】
以下、本発明の実施の形態について説明する。
（イ）香料とマイナスイオンの混合された板状樹脂本体。
（ロ）表面に図柄や写真等を印刷したもの。
（ハ）いろいろな形にカットする。
本発明は以上のような構造で、これを使用するときは、樹脂本体の粘着性により、凹凸のない貼りたい面に、何度でも貼ったり剥がしたりできる。
【０００６】
【発明の効果】
粘着性があり、平らな部分であれば、貼ったり、剥がしたり容易にできる。
板状の本体は貼りり付ける面に密着するため、特別な接着剤を必要としない。
【図面の簡単な説明】
【図１】本発明の三面図である。
【図２】花の形にカットされたデザインの一例。
【符号の説明】（１）    板状樹脂の本体。
【図１】
2004339455.tif 000003
【図２】
2004339455.tif 000004
(57)【要約】      （修正有）【課題】従来の炭化装置は搬入排出口が側面に設定されており、炭化材の搬入、炭化製品の排出が容易ではなかった。【解決手段】炭化炉本体の上部に開閉扉７を、本体の正面部及び背面部に炭化炉本体を回転させる回転用リング２を設け、回転用レール４上で回転用リングを回転させることにより、炭化用材の搬入時には開閉扉を上向きに、炭化製品の排出時には開閉扉を下向きに設定して、炭化用材の搬入及び炭化製品の排出を容易に行うことができる。【選択図】図１
2004339457.tif 000002
【特許請求の範囲】
【請求項１】
炭化炉本体１．．の上部に開閉扉７．．左右２枚を設ける、また本体正面部の片方に点火口５．．を設け、その反対部に排気用煙突部１２．．を設る。炭化用材般入時また、炭化された製品の排出を、容易にするために、炭化炉本体を反転させる回転用リング２．．とこのリング支えるリング支柱３．．を設ける、回転用リング２．．は回転用レール４．．又は回転用ローラ１１．．上に設置する、回転用レール４．．には回転用リング２．．を固定させるための固定ピン６．．を設け、炭化用材の般入時と炭化製品の排出時に安全に固定し、用材の搬入及び排出を容易に行える装置。
【発明の詳細な説明】
まず炭化用材を炭化炉に入れるときは、開閉扉７．．を上部にして回転用リングの回転用レール４．．に設定した固定ピン６．．で回転用リング２．．を固定し炭化用材を炭化炉本体１．．に搬入する、そして炭化工程が終了したら、回転用レール．．の固定ピンを外し反転リング２．．を回転用レール４．．上を回転させることで開閉扉７．．下方向にし、炭化物質を容易に排出することができる装置である。
【産業上の利用分野】
木材及び木材の廃材、農産物のとくに穀類の殻、林産物の製品余り材等を炭化することにより焼却するより、ＣＯ２の発生を少なくし炭化物を農業の土壌改良、園芸、水質の浄化に利用できる装置
【従来の技術】
従来の炭製造装置又は、炭焼き窯は、全て側面方向に開口部が有り、炭化材の搬入や、炭化製品の排出はここから行わなければならなかったために、搬入排出が容易ではなかった。
【解決方法】
本発明は、開口部を回転用リングを設けることにより、搬入時には開口部を上部に、排出時には下部に設定でき、炭化材  炭化製品の搬入排出が容易にすることが可能になった。
【図面の簡単な説明】
【図１】正面図である、搬入  排出口７．．を上部にし、回転用レール４．．を使用し炭化材料の搬入時を示す。
【図２】正面図である、搬入  排出口７．．を上部にし、回転用ローラ１１．．を使用し炭化材料の般入時を示す
【図３】正面図である、搬入  排出口７．．を下部にし、回転用レール４．．を使用し炭化製品の排出時を示す
【図４】正面図である、搬入  排出口７．．を下部にし、回転用ローラ１１．．を使用し炭化製品の排出時を示す
【図５】側面図である、回転用レール４．．を配したものを示す
【図６】側面図である、回転用ローラ１１．．を配したものを示す
【符号の説明】
１  炭化炉本体
２  回転用リング
３  リング支柱
４  回転用レール
５  点火口
６  リング固定ピン
７  搬入  排出扉
９  搬入  排出扉シャフト
１０  ローラー駆動チエーン
１１  回転用ローラー
１２  排気口
【図１】
2004339457.tif 000003
【図２】
2004339457.tif 000004
【図３】
2004339457.tif 000005
【図４】
2004339457.tif 000006
【図５】
2004339457.tif 000007
【図６】
2004339457.tif 000008